【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  第１及び第２電極の対を有する複数の放電セルが形成されたプラズマディスプレイパネルの駆動方法であって、
前記駆動方法は、
初期化を行う初期化期間を有し、
前記初期化期間中に、上昇する時の電圧変化率の平均値が１Ｖ／μｓ以上、９Ｖ／μｓ以下であり、かつ、
下降し始める時の電圧変化率が前記上昇する時の電圧変化率の平均値より大きい波形を有するパルスを前記放電セルに印加する
プラズマディスプレイパネルの駆動方法。
【請求項２】  前記初期化期間中における前記上昇する時の電圧変化率の平均値が５．２５Ｖ／μｓ以上、９Ｖ／μｓ以下である、請求項１に記載のプラズマディスプレイパネルの駆動方法。
【請求項３】  前記初期化期間中における前記上昇する時の電圧変化率の平均値が４．２Ｖ／μｓ以上、５．２５Ｖ／μｓ以下である、請求項１に記載のプラズマディスプレイパネルの駆動方法。
【請求項４】  前記初期化期間中における前記上昇する時の電圧変化率の平均値が３．５Ｖ／μｓ以上、４．２Ｖ／μｓ以下である、請求項１に記載のプラズマディスプレイパネルの駆動方法。
【請求項５】  前記初期化期間中における前記上昇する時の電圧変化率の平均値が２．６２５Ｖ／μｓ以上、３．５Ｖ／μｓ以下である、請求項１に記載のプラズマディスプレイパネルの駆動方法。
【請求項６】  前記初期化期間中における前記上昇する時の電圧変化率の平均値が２．１Ｖ／μｓ以上、２．６２５Ｖ／μｓ以下である、請求項１に記載のプラズマディスプレイパネルの駆動方法。
【請求項７】  前記初期化期間中における前記上昇する時の電圧変化率の平均値が１Ｖ／μｓ以上、２．１Ｖ／μｓ以下である、請求項１に記載のプラズマディスプレイパネルの駆動方法。
【請求項８】  第１及び第２電極の対を有する複数の放電セルが形成されたプラズマディスプレイパネルの駆動方法であって、
前記駆動方法は、
初期化を行う初期化期間と、入力される画像データに基づいて書き込みを行う書き込み期間とを有し、
前記初期化期間中に、上昇する時の電圧変化率の平均値が１Ｖ／μｓ以上、９Ｖ／μｓ以下であり、かつ、下降し始める時の電圧変化率が前記上昇する時の電圧変化率の平均値より大きい波形を有するパルスを前記第１電極を通じて前記放電セルに印加し、
前記書き込み期間に、書き込みパルスを前記第１電極を通じて前記放電セルに印加する
プラズマディスプレイパネルの駆動方法。
【請求項９】  前記初期化期間中における前記上昇する時の電圧変化率の平均値が５．２５Ｖ／μｓ以上、９Ｖ／μｓ以下である、請求項８に記載のプラズマディスプレイパネルの駆動方法。
【請求項１０】  前記初期化期間中における前記上昇する時の電圧変化率の平均値が４．２Ｖ／μｓ以上、５．２５Ｖ／μｓ以下である、請求項８に記載のプラズマディスプレイパネルの駆動方法。
【請求項１１】  前記初期化期間中における前記上昇する時の電圧変化率の平均値が３．５Ｖ／μｓ以上、４．２Ｖ／μｓ以下である、請求項８に記載のプラズマディスプレイパネルの駆動方法。
【請求項１２】  前記初期化期間中における前記上昇する時の電圧変化率の平均値が２．６２５Ｖ／μｓ以上、３．５Ｖ／μｓ以下である、請求項８に記載のプラズマディスプレイパネルの駆動方法。
【請求項１３】  前記初期化期間中における前記上昇する時の電圧変化率の平均値が２．１Ｖ／μｓ以上、２．６２５Ｖ／μｓ以下である、請求項８に記載のプラズマディスプレイパネルの駆動方法。
【請求項１４】  前記初期化期間中における前記上昇する時の電圧変化率の平均値が１Ｖ／μｓ以上、２．１Ｖ／μｓ以下である、請求項８に記載のプラズマディスプレイパネルの駆動方法。
【請求項１５】  第１及び第２電極の対が複数配置された第１基板と、第３電極が複数配置された第２基板が間隔を置いて配置され、前記第１、第２基板の間に前記第１、第２及び第３電極を有する放電セルが複数形成されたプラズマディスプレイパネルと、
１フレームに、初期化を行う初期化期間を備えて、前記放電セルにパルスを印加して前記プラズマディスプレイパネルを駆動する駆動回路と
を含む画像表示装置であって、
前記駆動回路は、
前記初期化期間中に、上昇する時の電圧変化率の平均値が１Ｖ／μｓ以上、９Ｖ／μｓ以下であり、かつ、
下降し始める時の電圧変化率が前記上昇する時の電圧変化率の平均値より大きい波形を有するパルスを前記放電セルに印加する
構成とした画像表示装置。
【請求項１６】  前記初期化期間中における前記上昇する時の電圧変化率の平均値が５．２５Ｖ／μｓ以上、９Ｖ／μｓ以下である、請求項１５に記載の画像表示装置。
【請求項１７】  前記初期化期間中における前記上昇する時の電圧変化率の平均値が４．２Ｖ／μｓ以上、５．２５Ｖ／μｓ以下である、請求項１５に記載の画像表示装置。
【請求項１８】  前記初期化期間中における前記上昇する時の電圧変化率の平均値が３．５Ｖ／μｓ以上、４．２Ｖ／μｓ以下である、請求項１５に記載の画像表示装置。
【請求項１９】  前記初期化期間中における前記上昇する時の電圧変化率の平均値が２．６２５Ｖ／μｓ以上、３．５Ｖ／μｓ以下である、請求項１５に記載の画像表示装置。
【請求項２０】  前記初期化期間中における前記上昇する時の電圧変化率の平均値が２．１Ｖ／μｓ以上、２．６２５Ｖ／μｓ以下である、請求項１５に記載の画像表示装置。
【請求項２１】  前記初期化期間中における前記上昇する時の電圧変化率の平均値が１Ｖ／μｓ以上、２．１Ｖ／μｓ以下である、請求項１５に記載の画像表示装置。
【請求項２２】  第１及び第２電極の対が複数配置された第１基板と、第３電極が複数
配置された第２基板が間隔を置いて配置され、前記第１、第２基板の間に前記第１、第２及び第３電極を有する放電セルが複数形成されたプラズマディスプレイパネルと、
１フレームに、初期化を行う初期化期間と、入力される画像データに基づいて書き込みを行う書き込み期間とを備えて、前記放電セルにパルスを印加して前記プラズマディスプレイパネルを駆動する駆動回路と
を含む画像表示装置であって、
前記駆動回路は、
前記初期化期間中に、上昇する時の電圧変化率の平均値が１Ｖ／μｓ以上、９Ｖ／μｓ以下であり、かつ、下降し始める時の電圧変化率が前記上昇する時の電圧変化率の平均値より大きい波形を有するパルスを前記第１電極を通じて前記放電セルに印加し、
前記書き込み期間に、書き込みパルスを前記第１電極を通じて前記放電セルに印加する構成とした画像表示装置。
【請求項２３】  前記初期化期間中における前記上昇する時の電圧変化率の平均値が５．２５Ｖ／μｓ以上、９Ｖ／μｓ以下である、請求項２２に記載の画像表示装置。
【請求項２４】  前記初期化期間中における前記上昇する時の電圧変化率の平均値が４．２Ｖ／μｓ以上、５．２５Ｖ／μｓ以下である、請求項２２に記載の画像表示装置。
【請求項２５】  前記初期化期間中における前記上昇する時の電圧変化率の平均値が３．５Ｖ／μｓ以上、４．２Ｖ／μｓ以下である、請求項２２に記載の画像表示装置。
【請求項２６】  前記初期化期間中における前記上昇する時の電圧変化率の平均値が２．６２５Ｖ／μｓ以上、３．５Ｖ／μｓ以下である、請求項２２に記載の画像表示装置。
【請求項２７】  前記初期化期間中における前記上昇する時の電圧変化率の平均値が２．１Ｖ／μｓ以上、２．６２５Ｖ／μｓ以下である、請求項２２に記載の画像表示装置。
【請求項２８】  前記初期化期間中における前記上昇する時の電圧変化率の平均値が１Ｖ／μｓ以上、２．１Ｖ／μｓ以下である、請求項２２に記載の画像表示装置。